(57)【要約】【課題】一方の間仕切パネルの側端面を他方の間仕切パネルの前面に、平面視において所要の角度をもって連結する連結装置でありながら、独立の連結部材を用いず、部品点数が少なくコスト安であり、組付け作業が簡単で、しかも、取り付け位置の設定、変更が容易な間仕切パネルの連結装置を提供する。【解決手段】左右方向に延びる主間仕切パネル２の上部と下部とに左右方向に連続するレール部材５、６を設け、上下部のレール部材５、６に、副間仕切パネル３の側端面の上下に設けた係合部材１２、１３を係合させて、主間仕切パネル２における左右方向の任意位置に、副間仕切パネル３を連結する。【選択図】　　　　図６
2004107894.tif 000002
【特許請求の範囲】
【請求項１】
左右方向に延びる主間仕切パネルの上部と下部とに左右方向に連続するレール部材を設け、該上下部のレール部材に、副間仕切パネルの側端面の上下に設けた係合部材を係合させて、前記主間仕切パネルにおける左右方向の任意の位置に、前記副間仕切パネルを連結しうるようにしたことを特徴とする間仕切パネルの連結装置。
【請求項２】
上下部のレール部材を、前面が開口する断面チャンネル状とするとともに、上部のレール部材は前部下側に上向き片を、また下部のレール部材は前部上側に下向き片を有するものとし、上下の係合部材を、前記上向き片及び下向き片と係合する係合爪を有するものとした請求項１記載の間仕切パネルの連結装置。
【請求項３】
上部のレール部材の上向き片に係合する下向きの係合爪を副間仕切パネルの側端の上部に設け、下部レール部材の下向き片に係合する上向きの係合爪を前記副間仕切パネルの側端の下部に設け、かつ、前記上下部の係合爪を互いの方向に引き締める引き締め手段を設けた請求項２記載の間仕切パネルの連結装置。
【請求項４】
副間仕切パネルを、主間仕切パネルの前面に、これと直角をなす方向に延びるように連結した請求項１〜３のいずれかに記載の間仕切パネルの連結装置。
【発明の詳細な説明】
【０００１】
【発明の属する技術分野】
本発明は、間仕切パネルの連結装置に関する。
【０００２】
【従来の技術】
従来、間仕切パネルの連結装置としては、例えば特開平９−２４２２２５号公報に記載されているように、単体間仕切パネルの側端面同士を連結して左右方向に延びる間仕切パネルを形成するものや、特開平１０−２７３９４３号公報に記載されているように、一方の間仕切パネルの側端面を、他方の間仕切パネルの前面に、平面視において所要の角度をもって連結するものが知られている。
【０００３】
【特許文献１】
特開平９−２４２２２５号公報（第１〜３頁、図１）。
【特許文献２】
特開平１０−２７３９４３号公報（第１〜５頁、図１及び図２）。
【０００４】
【発明が解決しようとする課題】
上述のいずれの型式のものも、連結しようとする両間仕切パネルの間に、連結杆の上下部に駒部材を有し、間仕切パネルの全長に亘って延びる別部材として形成された連結手段を用いている。この連結手段は、その駒部材を両間仕切パネルに係合させて連結するものであるが、後者では、前記他方の間仕切パネルの前面には駒部材を係合させる孔がないので、この間仕切パネルの上下端にわたって垂直に延びる固定具を取り付け、この固定具に穿設した孔を利用している。このため、部品点数が多く、コスト高となるばかりか、組付け作業が煩雑である。
【０００５】
本発明は、後者のように、一方の間仕切パネルの側端面を他方の間仕切パネルの前面に、平面視において所要の角度をもって連結する連結装置でありながら、独立の連結手段を用いず、部品点数が少なくコスト安であり、組付け作業が簡単で、しかも、取り付け位置の設定、変更が容易な間仕切パネルの連結装置を提供することを目的としている。
【０００６】
【課題を解決するための手段】
本発明によると、上記課題は、次のようにして解決される。
（１）　左右方向に延びる主間仕切パネルの上部と下部とに左右方向に連続するレール部材を設け、該上下部のレール部材に、副間仕切パネルの側端面の上下に設けた係合部材を係合させて、前記主間仕切パネルにおける左右方向の任意の位置に、前記副間仕切パネルを連結しうるようにする。
【０００７】
（２）　上記（１）項において、上下部のレール部材を、前面が開口する断面チャンネル状とするとともに、上部のレール部材は前部下側に上向き片を、また下部のレール部材は前部上側に下向き片を有するものとし、上下の係合部材を、前記上向き片及び下向き片と係合する係合爪を有するものとする。
【０００８】
（３）　上記（２）項において、上部のレール部材の上向き片に係合する下向きの係合爪を副間仕切パネルの側端の上部に設け、下部レール部材の下向き片に係合する上向きの係合爪を前記副間仕切パネルの側端の下部に設け、かつ、前記上下部の係合爪を互いの方向に引き締める引き締め手段を設ける。
【０００９】
（４）　上記（１）〜（３）項のいずれかにおいて、副間仕切パネルを主間仕切パネルの前面に、これと直角をなす方向に延びるように連結する。
【００１０】
【発明の実施の形態】
以下、本発明の一実施形態を、図１〜図７を参照して説明する。
図１は、主間仕切パネルに取り付けられた副間仕切パネルと、取付直前のそれとを示す斜視図、図２は、単位間仕切パネルの側端部を示す斜視図、図３は、単位間仕切パネルの側端部内に収容された連結機構を分解して示す斜視図、及び図４〜図７は、連結の手順を説明する略図である。なお、図１において、右下側を前、左上側を後とする。
【００１１】
図１に示すように、いわゆるローパーテションを構成する複数枚の単位間仕切パネル（１）は、互いに左右方向に一直線状に並べて連結されて、主間仕切パネル（２）を構成している。
この図の左側に示すように、主間仕切パネル（２）の前面には、副間仕切パネル（３）が、主間仕切パネル（２）と直角をなす方向に延びるように連結されている。主間仕切パネル（２）に対するこの副間仕切パネル（３）の連結位置は、本発明によれば左右方向の任意の位置とすることができる。
【００１２】
主間仕切パネル（２）を構成する単位間仕切パネル（１）及び副間仕切パネル（３）を構成する単位間仕切パネル（１）は、ともに同一構造であって、図２に示すように、ほぼ角管状をなす左右１対の縦フレーム（４）（４）の上下の端部の前後面に、左右方向を向く上部レール部材（５）及び下部レール部材（６）の側端部を溶接等により固着し、かつ両縦フレーム（４）（４）の前後面における上下部レール部材（５）（６）間に、同レール部材（５）（６）の厚さとほぼ同一厚さの化粧パネル（７）を架設したものよりなっている。なお、各単位間仕切パネル（１）の上端には、上面カバー（１ａ）が装着されている（図１参照）が、図２以降では、それを省略してある。
【００１３】
したがって、複数の単位間仕切パネル（１）を左右方向に並べて連結して、主間仕切パネル（２）を形成したとき、主間仕切パネル（２）の上下部には、その全長に亘って連続するレールが形成される。
【００１４】
上下部レール部材（５）（６）は、ともに外側方に向かって開口するチャンネル状の部材で、上部レール部材（５）における開口の下縁には、上向き片（５ａ）が、また下部レール部材（６）における開口の上縁には、下向き片（６ａ）がそれぞれ設けられている。
【００１５】
左右の縦フレーム（４）（４）における外側壁（４ａ）の上下部には、方形の係合孔（８）（９）がそれぞれ設けられている。なお、この例では、上方の係合孔（８）は、外側壁（４ａ）の上端に開口させているが、下方の係合孔（９）のように、完全に閉じた方形の孔としてもよく、また、下方の係合孔（９）を、外側壁（４ａ）の下端に開口させてもよい。
【００１６】
また、左右の縦フレーム（４）（４）の少なくともいずれか一方の内側壁（４ｂ）の上下部には、上下方向の寸法を上記係合孔（８）（９）の上下寸法より小とした方形の係合孔（１０）（１１）が、係合孔（８）（９）とほぼ等高の位置に設けられている。
【００１７】
各単位間仕切パネル（１）における上記係合孔（１０）（１１）が設けられている方（図２の例では左方）の側端部には、連結機構（Ａ）が設けられている。
【００１８】
この連結機構（Ａ）は、上下の係合孔（８）（９）を通って各単位間仕切パネル（１）の一方の側端から外側方に向かって突出する上下の係合部材（１２）（１３）と、これらの係合部材（１２）（１３）を互いに近接する方向に引き寄せる引き締め手段（１４）とを主要構成部材として備えている。
【００１９】
図３に示すように、上部の係合部材（１２）は、板材を折り曲げて形成した部材で、その外側方を向く先端部に鈍角をもって下方に折り曲げられた係合爪（１２ａ）を有するとともに、基端部には、上方に直角に折り曲げられ、かつ縦フレーム（４）の内側壁（４ｂ）における係合孔（１０）（図４参照）を通りその係合孔（１０）の上方の内側壁（４ｂ）の内面に係合する上向き係合片（１２ｂ）を有し、さらに中間部に丸孔（１２ｃ）を備えている。
【００２０】
下部の係合部材（１３）も、板材を折り曲げて形成した部材で、その外側方を向く先端部に鈍角をもって上方に折り曲げられた係合爪（１３ａ）を有するとともに、基端部には、下方に直角に折り曲げられ、かつ縦フレーム（４）の内側壁（４ｂ）における係合孔（１１）（図４参照）を通りその係合孔（１１）の下方の内側壁（１４ｂ）の内面に係合する下向き係合片（１３ｂ）を有し、さらに中間部に丸孔（１３ｃ）を備えている。
【００２１】
引き締め手段（１４）は、上下方向を向く軸部（１５ａ）が上下の連結部材（１２）（１３）の丸孔（１２ｃ）（１３ｃ）を遊通し、軸部（１５ａ）の上端に丸孔（１２ｃ）より大径の拡径頭部（１５ｂ）が設けられ、かつ軸部（１５ａ）の下端部に雄ねじ部（１５ｃ）が設けられた連結杆（１５）と、この連結杆（１５）の雄ねじ部（１５ｃ）に螺合する角ナット（１６）とを備え、拡径頭部（１５ｂ）と角ナット（１６）とにより、上下の連結部材（１２）（１３）を互いに引き締めるようになっている。
【００２２】
連結杆（１５）の軸部（１５ａ）における頭部（１５ｂ）よりやや下方で、かつ上部の係合部材（１２）より下方の位置には、リング溝（１７）が形成され、ここに軸部（１５ａ）からの係合部材（１２）の外れ止め用のＥリング（１８）が嵌着されている。
【００２３】
上下の係合部材（１２）（１３）と角ナット（１６）とは、縦フレーム（４）における前後の側壁（４ｃ）（４ｄ）に挾まれることにより垂直軸まわりに回り止めされている。すなわち、前後の側壁（４ｃ）（４ｄ）が、上下の係合部材（１２）（１３）及び角ナット（１６）の回り止め手段となっている。
【００２４】
連結杆（１５）の拡径頭部（１５ｂ）の先端面には、六角孔（１９）が形成されており、これに、図２に示すような六角レンチ等の工具（２０）を嵌合して、連結杆（１５）を回すことができるようになっている。
【００２５】
図２に示すように、連結機構（Ａ）は、上部の係合部材（１２）の上向き係合片（１２ｂ）を、パネル内部の係合孔（１０）に差し入れ、下部の係合部材（１３）の下向き係合片（１３ｂ）を係合孔（１１）に差し入れた状態で、上方から連結杆（１５）の軸部（１５ａ）を丸穴（１２ｃ）（１３ｃ）に挿通し、上部の係合部材（１２）の下でリング溝（１７）にＥリング（１８）を挿入して、係合部材（１２）を軸部（１５ａ）から抜け止めし、下部の係合部材（１３）の下で、角ナット（１６）を雄ねじ部（１５ｃ）に緩く螺入させる。
この状態では、連結機構（Ａ）は、上向き係合片（１２ｂ）と係合孔（１０）との係合及び下向き係合片（１３ｂ）と係合孔（１１）との係合により、単位間仕切パネル（１）の内部に保持され、側方に外れ落ちることはない。しかし、上下部の係合部材（１２）（１３）の係合爪（１２ａ）（１３ａ）は、若干の幅をもって上下動及び上下方向へ回動可能となっている。
【００２６】
図１及び図４に示すように、このような連結機構（Ａ）を左側部に備えた複数の単位間仕切パネル（１）を左右方向に並べ、右方の単位間仕切パネル（１）における上下の係合部材（１２）（１３）の係合爪（１２ａ）（１３ａ）を、左方の単位間仕切パネル（１）の右端面に形成された上下の係合孔（８）（９）にそれぞれ嵌合し、次いで、図５に示すように、六角孔（１９）に工具（２０）を差し込んで、連結杆（１５）を締める方向に回転させ、上下の係合部材（１２）（１３）を互いに近接する方向に引き締めると、互いに隣接する２個の単位間仕切パネル（１）（１）は強固に連結され、同様にして、複数の単位間仕切パネル（１）の隣接し合うもの同士を互いに順次連結することにより、左右方向に連続する主間仕切パネル（２）が形成される。
【００２７】
また、図６に示すように、このようにして形成された主間仕切パネル（２）の前面に、副間仕切パネル（３）を構成する単位間仕切パネル（１）における連結機構（Ａ）が設けられている方の側端部を近づけ、上部の係合爪（１２ａ）を上部レール部材（５）の内部に、また、下部の係合爪（１３ａ）を下部レール部材（６）の内部に差し入れる。上下部の係合部材（１２）（１３）は、連結杆（１５）に遊嵌しているので、係合爪（１２ａ）（１３ａ）は、上向き片（５ａ）、及び下向き片（６ａ）をかわして、レール部材（５）（６）の内部に入り込むことができる。
【００２８】
次いで、図７に示すように、工具（２０）を連結杆（１５）の六角孔（１９）に挿入して、締めつけ方向に回転させることにより、角ナット（１６）への螺入の程度を増せば、拡径頭部（１５ｂ）と上部の係合部材（１２）との当接により、係合爪（１２ａ）が上部レール部材（５）の上向き片（５ａ）と密に係合し、角ナット（１６）と下部の係合部材（１３）との当接により、係合爪（１３ａ）が下部レール部材（６）の下向き片（６ａ）と密に係合するように引き締められ、主間仕切パネル（２）と副間仕切パネル（３）との連結が完了する。
【００２９】
図１に示すように、副間仕切パネル（３）を複数の単位間仕切パネル（１）により構成する場合は、それらの向きを前後方向として、主間仕切パネル（２）におけるのと同様にして連結すればよい。
【００３０】
図８に示す変形例では、上下部の係合部材（１２）（１３）が、板材を折り曲げて作られることは同様であるが、板材の両側部を互いに上下内向きに折り曲げて、この両折り曲げ片の先端部に１対の鉤状の係合爪（１２ａ）（１３ａ）が形成されている。
【００３１】
また、縦フレーム（４）における後側壁（４ｄ）の下端部の一部を前方に向けてほぼ直角に折曲することにより落ち止め片（２１）を形成し、これを、角ナット（１６）のための落下防止手段としている。
【００３２】
その他の構成は、上述の実施形態におけるのと同一であり、それらについては、同一の符号をもって図示するに止め、詳細な説明は省略する。
【００３３】
【発明の効果】
請求項１記載の発明によれば、連結機構が単位間仕切パネルの側端部の内部に組み込まれているので、運搬や組み付け作業が楽であるだけでなく、連結手段が紛失するおそれがなく、しかも部品点数が少なく、低コストで製造できる。
さらに、主間仕切パネルに対して、副間仕切パネルを任意の位置で連結することができるとともに、その連結位置を簡単に変更することができる。
【００３４】
請求項２記載の発明によれば、係合が容易で確実、しかも構造が簡易で強固な連結装置とすることができる。
【００３５】
請求項３記載の発明によれば、連結の作業を極めて簡易なものとすることができるとともに、引き締め手段の引き締めが万一緩んだとしても、副間仕切パネルが主間仕切パネルから容易に脱落することはない。
【００３６】
請求項４記載の発明によれば、間仕切による方形の隅部を簡単に形成することができる。
【図面の簡単な説明】
【図１】本発明の連結装置の一実施形態を用いた間仕切の斜視図である。
【図２】連結機構を収容している単位間仕切パネルの側端部の斜視図である。
【図３】連結機構の主要部材の分解斜視図である。
【図４】主間仕切パネルを形成する２個の単位間仕切パネルの対向部における連結前の状態を示す縦断正面図である。
【図５】同じく、連結後の状態を示す縦断正面図である。
【図６】主間仕切パネルと副間仕切パネルとの対向部における連結前の状態を示す縦断側面図である。
【図７】同じく、連結後の状態を示す縦断側面図である。
【図８】本発明の連結装置の変形例を用いて主間仕切パネルと副間仕切パネルとを連結したときの要部の縦断面図である。
【符号の説明】
（Ａ）連結機構
（１）単位間仕切パネル
（１ａ）上面カバー
（２）主間仕切パネル
（３）副間仕切パネル
（４）縦フレーム
（４ａ）外側壁
（４ｂ）内側壁
（４ｃ）前側壁
（４ｄ）後側壁
（５）上部レール部材
（５ａ）上向き片
（６）下部レール部材
（６ａ）下向き片
（７）化粧パネル
（８）（９）（１０）（１１）係合孔
（１２）係合部材
（１２ａ）係合爪
（１２ｂ）上向き係合片
（１２ｃ）丸孔
（１３）係合部材
（１３ａ）係合爪
（１３ｂ）下向き係合片
（１３ｃ）丸孔
（１４）引き締め手段
（１５）連結杆
（１５ａ）軸部
（１５ｂ）拡径頭部
（１５ｃ）雄ねじ部
（１６）角ナット
（１７）リング溝
（１８）Ｅリング
（１９）六角孔
（２０）工具
（２１）落ち止め片（落下防止手段）
【図１】
2004107894.tif 000003
【図２】
2004107894.tif 000004
【図３】
2004107894.tif 000005
【図４】
2004107894.tif 000006
【図５】
2004107894.tif 000007
【図６】
2004107894.tif 000008
【図７】
2004107894.tif 000009
【図８】
2004107894.tif 000010